(57)【要約】      （修正有）【課題】インスタント食品の味を損なわせることなく調理することができ、製造コストを抑えることができる蓋留め具を提供する。【解決手段】薄板状に形成された蓋押さえ部１２と、この蓋押さえ部の縁寄りに形成された複数のクリップ部１１とから構成し、蓋押さえ部とクリップ部とを可撓性素材で形成し、径方向に周回する鍔２ａを形成した開口縁２ｂを有するインスタント食品用容器１を閉じる蓋３を、蓋押さえ部で押さえるとともに、クリップ部１１に縁寄りの基部から中心に向けて自由端部を形成するスリットを設ける。自由端部が基部を支点に鍔２ａの下側に係止され、可撓性素材に基づく復元力によって、蓋押さえ部１２と鍔２ａとで挟み込んで蓋３を開口縁２ｂに留める。【選択図】図２
0003186596.tif 000002
【実用新案登録請求の範囲】
【請求項１】
薄板状に形成された蓋押さえ部と、この蓋押さえ部の縁寄りに形成された複数のクリップ部と、から構成され、
前記蓋押さえ部と前記クリップ部とは、可撓性素材により形成され、
径方向に周回する鍔が形成された開口縁を有するインスタント食品用容器を閉じる蓋の全面を前記蓋押さえ部で押さえるとともに、前記蓋の縁を前記クリップ部の復元力により前記蓋押さえ部と前記鍔とで挟んで前記開口縁に留めた、
ことを特徴とする蓋留め具。
【請求項２】
薄板状に形成された蓋押さえ部と、この蓋押さえ部の縁寄りに形成された複数のクリップ部と、から構成され、
前記蓋押さえ部と前記クリップ部とは、可撓性素材により形成され、
開口縁を有するインスタント食品用容器を閉じる蓋の全面を前記蓋押さえ部で押さえ、前記インスタント食品用容器の側面を、前記クリップ部の復元力により挟んだ、
ことを特徴とする蓋留め具。
【請求項３】
前記クリップ部は、前記縁寄りを基部とし、この基部から中心に向けて自由端部を形成するスリットが設けられて形成された、
ことを特徴とする請求項１または請求項２に記載の蓋留め具。
【請求項４】
前記クリップ部の先端形状は、前記インスタント食品用容器の側面形状に対応している、
ことを特徴とする請求項１ないし請求項３のいずれか１項に記載の蓋留め具。
【考案の詳細な説明】
【技術分野】
【０００１】
本考案は、カップ麺などの容器の蓋を押さえて留める蓋留め具に関する。
【背景技術】
【０００２】
従来、カップ麺などのインスタント食品を調理する際に、インスタント食品が入った容器に注いだ熱湯の湯気が逃げないように、閉じた蓋を留めるカップ麺蓋閉じハサミ具が下記特許文献１に提案されている。
【０００３】
上記のカップ麺蓋閉じハサミ具は、硬鋼線バネを挾む下側ア−ム先端内側に突起を、上側アーム先端内側に滑り止めをそれぞれ設けて、これらの先端同士でカップ麺の容器の縁と蓋のつまみ用取っ手とを挟み込む用途に使われる。
【先行技術文献】
【特許文献】
【０００４】
【特許文献１】特許第４６６５７４５号公報
【考案の概要】
【考案が解決しようとする課題】
【０００５】
しかし、上記したカップ麺蓋閉じハサミ具には、以下のような課題がある。
このカップ麺蓋閉じハサミ具によれば、カップ麺の容器を周回する縁と蓋とを一点で挟み込むことになるため、周辺の縁と蓋との間から湯気が逃げて、インスタント食品の仕上がりに斑を生じさせ、味が損なわれる場合がある。また、挟み込むために硬鋼線バネを用いるため、部品点数が増え、製造コストがかかる。
【０００６】
本考案は、上記の実情に鑑みて提案されたものである。すなわち、インスタント食品の味を損なわせることなく調理することができ、製造コストを抑えることができる蓋留め具の提供を目的とする。
【課題を解決するための手段】
【０００７】
上記目的を達成するために、本考案は、薄板状に形成された蓋押さえ部と、この蓋押さえ部の縁寄りに形成された複数のクリップ部と、から構成され、前記蓋押さえ部と前記クリップ部とは、可撓性素材により形成され、径方向に周回する鍔が形成された開口縁を有するインスタント食品用容器を閉じる蓋の全面を前記蓋押さえ部で押さえるとともに、前記蓋の縁をクリップ部の復元力により前記蓋押さえ部と前記鍔とで挟んで前記開口縁に留めたことを特徴としている。
【０００８】
また、薄板状に形成された蓋押さえ部と、この蓋押さえ部の縁寄りに形成された複数のクリップ部と、から構成され、前記蓋押さえ部と前記クリップ部とは、可撓性素材により形成され、開口縁を有するインスタント食品用容器を閉じる蓋の全面を前記蓋押さえ部で押さえ、前記インスタント食品用容器の側面を、前記クリップ部の復元力により挟んだことを特徴としている。
【０００９】
また、前記クリップ部は、前記縁寄りを基部とし、この基部から中心に向けて自由端部を形成するスリットが設けられて形成されたことを特徴としている。
【００１０】
また、前記クリップ部の先端形状は、前記インスタント食品用容器の側面形状に対応していることを特徴としている。
【考案の効果】
【００１１】
本考案に係る蓋留め具によれば、インスタント食品の味を損なわせることなく調理することができ、製造コストを抑えることができる。
【図面の簡単な説明】
【００１２】
【図１】本考案の実施形態に係る蓋留め具の平面図である。
【図２】本考案の実施形態に係る蓋留め具の使用状態を示す斜視図である。
【図３】本考案に係る蓋留め具の使用状態を説明する縦断面図であり、（ａ）は図２のIIIａ−IIIａ断面説明図、（ｂ）は他の実施形態の断面説明図である。
【図４】本考案に係る蓋留め具の変形例を示す平面図である。
【考案を実施するための形態】
【００１３】
以下に、本考案の実施形態を図面に基づいて説明する。
図１、図２において、本実施形態に係る蓋留め具１０は、薄板状に形成された蓋押さえ部１２と、この蓋押さえ部１２の縁寄りに形成されたクリップ部１１とから構成され、インスタント食品用容器１に取り付けられている。インスタント食品用容器１は、底面と、この底面から拡径して立設された側面１ａとで略円筒状に形成された容器本体と、この容器本体の開口部で径方向に周回する鍔２ａが形成された開口縁２ｂとから構成されている。開口縁２ｂには蓋３が備えられている。この蓋３は開口縁２ｂから一旦剥離されて図示しないインスタント食品が収納された内部に湯が注がれた後、蓋留め具１０によって開口縁２ｂに留められている。
【００１４】
蓋留め具１０は、可撓性素材で構成されている。例えば、ポリプロピレン（ＰＰ）やポリエチレンテレフタラート（ＰＥＴ）などの合成樹脂系素材、合成紙、ＰＰまたはＰＥＴと紙との多層構造素材、シリコンなどのゴム素材、その他コルクなどで形成されている。蓋留め具１０の厚さは、蓋留め具１０がＰＥＴから成形されているのであれば撓らせ易さから０．２ｍｍ程度が好ましいが、クリップ部１１を適度に撓らせられる範囲で変更することができる。また、蓋留め具１０の大きさは、クリップ部１１を撓らせて開口縁２ｂを挟める構成であれば、インスタント食品用容器の大きさに応じて適宜変更することができる。
【００１５】
蓋押さえ部１２は、インスタント食品用容器１を閉じる蓋３に内接されるような略四角形に形成されている。蓋留め具１０が蓋３の面上に載置されたとき、蓋押さえ部１２は対面した蓋３の全体を開口縁２ｂに押さえ付けている。
【００１６】
クリップ部１１は、蓋押さえ部１２と同一面上の縁寄りから中心に向かって設けられた略凸状のスリットにより形成されている。クリップ部１１は、蓋押さえ部１２の縁寄りである基部１１ａと、この基部１１ａから先端部１１ｃに至るまでの自由端部１１ｂとから構成されている。クリップ部１１は、蓋押さえ部１２の一対の対角に形成され、基部１１ａ同士の間隔が鍔２ａの外径より大きく、先端部１１ｃ同士の間隔が開口縁２ｂの内径より小さい。クリップ部１１は、自由端部１１ｂが基部１１ａを支点に蓋３側へ撓って鍔２ａの下側に係止され、可撓性素材に基づく復元力によって、蓋３を蓋押さえ部１２と鍔２ａとで挟み込んで開口縁２ｂに押え付けて留めている。先端部１１ｃは、インスタント食品用容器１の側面１ａの周面に沿って基部１１ａ側に湾曲した弧状に形成され、側面１ａに嵌合している。
【００１７】
次に、本実施形態に係る蓋留め具１０の取り付け方の一例を説明する。
【００１８】
図２、図３（ａ）において、蓋留め具１０を、蓋押さえ部１２でインスタント食品用容器１を閉じる蓋３の全面を覆うように載置し、蓋３を押える。ここで、蓋押さえ部１２に形成されたクリップ部１１は、基部１１ａ同士の間隔が鍔２ａの外径より大きく、先端部１１ｃ同士の間隔が開口縁２ｂの内径より小さい。したがって、留め具１０は、基部１１ａが開口縁２ｂの外側に、先端部１１ｃが開口縁２ｂの内側に、かつ、自由端部１１ｂが開口縁２ｂを外側から内側へ跨ぐように、蓋３上に配置される（図１参照）。
【００１９】
クリップ部１１が形成された蓋押さえ部１２の対角を中央に向けて捻り、立ち上がらせる。このとき、自由端部１１ｂは、基部１１ａを支点に蓋３側へ撓り、先端部１１ｃが開口縁２ｂの下側に係止される。蓋留め具１０は可撓性素材で形成されているため、撓ったクリップ部１１が、復元力により撓る前の状態に戻ろうとして、蓋３を蓋押さえ部１２と鍔２ａとで挟み込んで開口縁２ｂに押さえ付けて留める。
【００２０】
上記のとおり、本実施形態に係る蓋留め具１０は、薄板状に形成された蓋押さえ部１２と、この蓋押さえ部１２の縁寄りに形成された複数のクリップ部１１とから構成されている。蓋押さえ部１２とクリップ部１１とは可撓性素材により形成されている。これにより、径方向に周回する鍔２ａが形成された開口縁２ｂを有するインスタント食品用容器１を閉じる蓋３を、蓋押さえ部１２で押さえるとともに、クリップ部１１の復元力により蓋押さえ部１２と鍔２ａとで挟み込んで開口縁２ｂに押え付けて留めることができる。
したがって、薄板状の蓋押さえ部１２で蓋３の全面を押さえるため、蓋３と開口縁２ｂとの間に隙間が生じることがなく、湯気が逃げてインスタント食品の仕上がりに斑が生じて味が損なわれることがない。
【００２１】
また、クリップ部１１は蓋押さえ部１２の一対の対角に形成されている。
したがって、両側から二点で簡便かつ確実に蓋３を蓋押さえ部１２と鍔２ａとで挟み込んで開口縁２ｂに押さえ付けて留めることができる。なお、クリップ部は蓋押さえ部１２の四隅の角すべてに形成してもよい。クリップ部を四隅の角に形成すれば、蓋３を四点で確実に留めることができる。
【００２２】
また、クリップ部１１の復元力によって蓋３が蓋押さえ部１２と鍔２ａとで挟み込まれて開口縁２ｂに押え付けられて留まる構成とした。
したがって、自重によらずに蓋３を開口縁２ｂに押さえ付けることができ、蓋留め具１０を軽量化することができる。さらに、蓋留め具１０は、クリップ部１１が撓ることで、開口縁の鍔の厚さが異なる様々なインスタント食品用容器に対応することができる。
【００２３】
また、本実施形態では、クリップ部１１が、蓋留め具１０の縁寄りを基部１１ａとし、この基部１１ａから中心に向けて自由端部１１ｂを形成する略凸状のスリットにより設けられている。
したがって、自由端部１１ｂを、基部１１ａを支点に蓋３側へ撓らせることができるため、バネなどの補助部品を用いることなく、構成を簡略化しつつ、低コスト化することができる。さらに、不使用時はクリップ部１１が撓らず蓋留め具１０と同一平面上に収められているため、収納性に優れている。
【００２４】
また、本実施形態では、クリップ部１１が、先端部１１ｃがインスタント食品用容器１の側面１ａの形状に沿って基部１１ａ側に湾曲した弧状に形成されている。
したがって、先端部１１ｃが側面１ａに嵌合され、クリップ１１は確実に開口縁２ｂを挟み込み、蓋３を開口縁２ｂに押さえ付けて留めることができる。なお、インスタント食品用容器の側面の形状が平坦であれば、先端部の形状を平坦としてもよい。
【００２５】
次に、本考案の他の実施形態について、図３（ｂ）に基づいて説明する。
【００２６】
他の実施形態に係る蓋留め具１００は、上記の実施形態と比べてクリップ部１１０の先端部１１０ｃ同士の間隔が、インスタント食品用容器２００に形成された開口縁２０ｂの内径よりも、さらに狭く、すなわち、自由端部１１０ｂが長く形成されている。なお、他の構成は、上記の実施形態と同じであるため説明を省略する。
【００２７】
次に、蓋留め具１００の取り付け方の一例を説明する。
【００２８】
クリップ部１１０が形成された蓋押さえ部１２０の対角を中央に向けて捻り、立ち上がらせる。このとき、自由端部１１０ｂは、基部１１０ａを支点に蓋３側へ撓る。クリップ１１０が撓った状態で、蓋押さえ部１２０が蓋３０の全面を覆うように載置する。蓋留め具１００は可撓性素材で形成されているため、撓ったクリップ部１１０が復元力により撓る前の状態に戻ろうとしてインスタント食品用容器２００の側面２０１を両側から挟み込む。蓋３０は、側面２０１がクリップ部１１０同士で挟まれることで開口縁２０ｂに留められる。
【００２９】
上記のとおり、他の実施形態に係る蓋留め具１００は、薄板状に形成された蓋押さえ部１２０と、この蓋押さえ部１２０の縁寄りに形成された複数のクリップ部１１０とから構成されている。蓋押さえ部１２０とクリップ部１１０とは、可撓性素材により形成されている。これにより、開口縁２０ｂを有するインスタント食品用容器２００を閉じる蓋３０を、蓋押さえ部１２０で押さえ、クリップ部１１０の復元力によりインスタント食品用容器２００の側面２０１を挟み込むことができる。
したがって、鍔が形成されていない開口縁２０ｂを有するインスタント食品用容器２００であっても、側面２０１を両側から挟むことで、蓋３０が開かないように蓋押さえ部１２０で蓋３０を押さえることができる。
【００３０】
次に、本考案の実施形態の変形例について、図４に基づいて説明する。
【００３１】
まず、図４（ａ）に示すように、蓋留め具の縁寄りに穴１３を形成し、親指を挿入して引っ掛けることで、団扇として用いることができるような構成としてもよい。蓋留め具は、ＰＰなどの素材で構成されているため適度に撓って扇ぐことができる。また、蓋留め具の形状は、インスタント食品用容器の形状に応じて円形などに変更することの他、多角形、星形（図４（ｂ）参照）など任意の形状とすることなどもできる。
【００３２】
また、図４（ｃ）に示すように、クリップ部を、ハート型などその他の形状としてもよい。また、クリップ部を対辺に形成してもよい。
【００３３】
以上、本考案の実施形態の一つを例示して詳述したが、本考案は上記実施形態に限定されるものではない。そして本考案は、特許請求の範囲に記載された事項を逸脱することがなければ、種々の設計変更を行うことが可能である。
【００３４】
使用例の一つとして、インスタント食品用容器１の開口縁２ｂから蓋３を全て剥離し、蓋留め具１０を蓋代わりに、蓋押さえ部１２で開口縁２ｂの全体を覆うことができる。
【００３５】
また、他の使用例として、インスタント食品を食する際にインスタント食品用容器を置くトレイや、グラスなどを置くコースターなどとして用いることもできる。また、蓋留め具の薄板状面に広告を印刷することで販促品や広告物として用いることの他、絵や写真などの印刷を施してインテリアとして用いることなどもできる。
【符号の説明】
【００３６】
１、２００                  インスタント食品用容器
１ａ、２０１                側面
２ａ                        鍔
２ｂ、２０ｂ                開口縁
３、３０                    蓋
１０、１００                蓋留め具
１１、１１０                クリップ部
１１ａ、１１０ａ            基部
１１ｂ、１１０ｂ            自由端部
１１ｃ、１１０ｃ            先端部
１２、１２０                蓋押さえ部
１３                        穴
【図１】
0003186596.tif 000003
【図２】
0003186596.tif 000004
【図３】
0003186596.tif 000005
【図４】
0003186596.tif 000006